(57)【要約】　　　（修正有）【課題】組み立てが簡単で、見た目も美しく、輻射線の量を低く抑える。【解決手段】前部フレーム、中間フレーム、後部フレームは、二組の上下が対応する横向きの長形フレームパネル、及び、二組の左右が対応する縦向きの短形フレームパネルが組み合わさって構成される。前部フレームの内側には、突出した矩形の突起フレームバーがある。中間フレームには、前部フレームと付き合わされる部分に、矩形のはめ込み耳がある。後部フレームと付き合わされる部分に、矩形の固定耳がある。前部フレームの突起フレームバーと中間フレームのはめ込み耳が互いに当たり、はさみ込む形で固定する。後部フレームの周辺は、中間フレームの固定耳に当たり、ねじで中間フレームと後部フレームが固定されて、組み立て構造が完成される。【選択図】　図９
0003098610.tif 000002
【実用新案登録請求の範囲】
【請求項１】
前部フレーム、中間フレーム、後部フレームからなり、その前部フレーム、中間フレーム、後部フレームは二組の上下が対応して、横向きに平行して配列される長形フレーム、及び、左右が対応して、縦向きに平行して配列される短形フレームパネルからなるフレーム体で、
前部フレームの内側には、それぞれ、突出した突起フレームバーがあり、中間フレームの前部フレームとの接続部分には、内側に向かって、矩形のはめ込み耳が横に伸びていて、相対した後、後部フレームとの接続部分には、上に向かって、矩形の固定耳が縦に伸びていて、
前部フレームの突起フレームバーと中間フレームのはめ込み耳が互いに当たり、突起フレームバーに取り付けられた固定パーツの側面ではさまれる形で、前部フレームと中間フレームが固定され、後部フレームの縁に中間フレームの固定耳が当たり、ねじによって、中間フレームと後部フレームが固定されて、組み立てが完成するという特長を持つ、液晶モニターのアルミフレーム組み立て構造。
【請求項２】
前部フレームの二組の長形フレームパネルの、短形フレームパネルと接続する位置に、凹面部があって、短形フレームパネル両側がここに埋め込まれるような形になり、組み立てた時に前部フレームの表面が平らで見た目が美しいという特長を持つ、請求項１に記載の液晶モニターのアルミフレーム組み立て構造。
【請求項３】
後部フレームの内側に、囲うような形で、矩形のはめ込み固定パネル槽があって、このはめ込み固定パネル槽内部は、液晶パネルが固定できる固定取り付け板がスライドするようになっているという特長を持つ、請求項１に記載の液晶モニターのアルミフレーム組み立て構造。
【請求項４】
後部フレームの外側に、駆動ＩＣ板を収納する収納槽フレームが伸びている、請求項１に記載の液晶モニターのアルミフレーム組み立て構造。
【請求項５】
前部フレームの突起フレームバーの固定パーツが、П型をしている、請求項１に記載の液晶モニターのアルミフレーム組み立て構造。
【請求項６】
中間フレームの一側面、及び、後部フレームの一側面に、スロット口が設けられていて、外付けの端子がここから挿入できるようになった、請求項１に記載の液晶モニターのアルミフレーム組み立て構造。
【考案の詳細な説明】
【０００１】
【考案の属する技術分野】
本考案は液晶モニター（ＬＣＤ）のアルミフレーム組み立て構造に関する。本考案の液晶モニターのアルミフレーム組み立て構造は、組み立てが簡単で、見た目も美しく、輻射線の量を低く抑えている。
【０００２】
【従来の技術及び課題】
従来の液晶モニターは、外部を覆っているフレームが樹脂を直接射出成型して形成されている。このタイプの製品は、製造コストが安いが、射出成型後の樹脂を回収処理する際、有毒物質が出る。そして、回収処理せずに埋めると、直接分解することができない。これは、現代の環境保護の観念に適合せず、将来、さまざまな環境汚染問題が発生する危険性が考えられる。したがって、液晶モニター外部の樹脂で覆われたフレームの改善は、現在の産業界が解決に迫られた課題である。
また、上述の樹脂を使用したモニターのフレームは、輻射線（ＥＭＩ）を防ぐというニーズに応えるため、フレーム内に金属の仕切り板を設置して、電磁波を隔離して、輻射線の量を低く抑えている。しかしながら、金属の仕切り板は、通常スティール製のパネルであり、さらに、樹脂フレームの重量を加えると、かなりの重量になる。したがって、現在、業界ではいかにして、コンピューター周辺設備の軽量化を図り、環境保護のニーズに応える製品を提供できるかが大きな課題である。
現在、業界では、アルミ材によるＬＣＤモニターフレームが製造されているものの、このアルミフレームは、一般に、鋳造あるいはアルミプレス成型で製造されている。しかしながら、製造コストを考慮すると、鍛造法のダイスはコストがかかり、垂直方向の電磁波をカバーするための突出ボーン部分が、一度では成型できない。この垂直方向の突出ボーン部分は型からはずす際に影響するため、この方法は適当ではない。したがって、現段階では、ダイスコストが比較的安価なアルミプレス製法が採用されている。
アルミプレス型のモニターフレームは、４つの部分を組み合わせて、つなぎ合わせ、中間フレームの接続箇所をアーク溶接で接続すればよいが、前部フレーム部分は、溶接作業ができない。前部フレーム部分を溶接すると、陽極処理をする際に、溶接箇所が黒くなって、美観を損ねるのである。故に、現在このアルミ凹レス型のモニターフレームは、前部フレームと中間フレームを組み立てる作業において、技術上のネックとなって、販売競争で不利となっている。
【０００３】
【課題を解決するための手段】
本考案の液晶モ＝ターのアルミフレーム組み立て構造は、前部フレーム、中間フレーム、後部フレームからなる。その前部フレーム、中間フレーム、後部フレームは、二組の上下が対応する横向きの長形フレームパネル、及び、二組の左右が対応する縦向きの短形フレームパネルが組み合わさって構成されたフレームである。その前部フレームの内側には、それぞれ、囲む形で、突出した矩形の突起フレームバーがある。その中間フレームには、前部フレームと付き合わされる部分に、囲む形で内側に向かって横向きに伸びた、矩形のはめ込み耳がある。そして、後部フレームと付き合わされる部分に、囲む形で上に向かって縦向きに伸びた、矩形の固定耳がある。この前部フレームの突起フレームバーと中間フレームのはめ込み耳が互いに当たり、突起フレームバーの固定ユニットの側面を前部フレームと中間フレームではさみ込む形で固定する。後部フレームの周辺は、中間フレームの固定耳に当たり、ねじで中間フレームと後部フレームが固定されて、本考案の液晶モニターのアルミフレーム組み立て構造が完成する。
【０００４】
【考案の実施の形態】
図１から図９を参照いただきたい。本考案の液晶モニターは、前部フレーム１、中間フレーム２、後部フレーム３からなる。
図３を参照いただきたい。前部フレーム１は、二組の長形フレームパネル１１及び二組の短形フレームパネル１２からなるフレーム体である。そのうち、二組の長形フレームパネル１１は、上下が対応して、短形フレームパネル１２に、横向きに平行して配列される。二組の短形フレームパネル１２は、左右が対応して、長形フレームパネル１１に、縦向きに平行して配列される。そして、その二組の長形フレームパネル１１は、短形フレームパネル１２に接続する部分に凹面部１３があって、短形フレームパネル１２両側を埋め込むようになっている。故に、二組の長形フレームパネル１１及び二組の短形フレームパネル１２が組み合わさった時、前部フレーム１の外観は平らで美しい（図１及び図２に前部フレーム１の外観を示している）。また、二組の長形フレームパネル１１及び二組の短形フレームパネル１２が組み合わさった時、前部フレーム１の内側に、それぞれ、突出した突起フレームバー１４があって、前部フレーム１内側に矩形に突起フレームバー１４が囲う形になる。この突起フレームバー１４にはП型の固定パーツ４があって、この固定パーツ４が長形フレームパネル１１の凹面部１３の上にある短形フレームパネル１２両側に埋め込まれるようになっている（図４を参照いただきたい）。こうして、二組の短形フレームパネル１２はしかっりと二組の長形フレームパネルの左右両側に埋め込まれて固定される。
【０００５】
中間フレーム２は、二組の長形フレームパネル２１及び短形フレームパネル２２からなるフレーム体である。そのうち、二組の長形フレームパネル２１は、上下が対応して、短形フレームパネル２２に、横向きに平行して配列される。二組の短形フレームパネル２２は、左右が対応して、長形フレームパネル２１に、縦向きに平行して配列される。そして、二組の長形フレームパネル２１及び二組の短形フレームパネル２２の接続する部分は、アーク溶接によって接続され、液晶パネル８を収納するための奥行きのある中間フレーム２のフレーム体を形成する。また、二組の長形フレームパネル２１及び二組の短形フレームパネル２２は、その接続する部分の前部フレームの端に、それぞれ、内側に横に向かってはめ込み耳２３が伸びている。そして、二組の長形フレームパネル及び二組の短形フレームパネル２２は、その接続する部分の後部フレームの端に、それぞれ、縦に向かって固定耳２４が伸びている。
【０００６】
後部フレーム３は、二組の長形フレームパネル３１及び二組の短形フレームパネル３２からなるフレーム体である。そのうち、二組の長形フレームパネル３１は、上下が対応して、形フレームパネル３２に、横向きに平行して配列される。二組の短形フレームパネル３２は、左右が対応して、長形フレームパネル３１に、縦向きに平行して配列される。そして、二組の長形フレームパネル３１及び二組の短形フレームパネル３２の接続する部分は、アーク溶接によって接続され、後部フレーム３のフレーム体を形成する。この後部フレーム３の内側には、矩形で囲むようにはめ込み固定パネル槽３３がある（図５を参照いただきたい）。このはめ込み固定パネル槽３３内部は、液晶パネル７をはめ込んで、固定するための固定取り付け板５がスライドするようになっている（図６を参照いただきたい）。そして、この後部フレーム３の外側には、駆動ＩＣ板を収納するための収納槽フレーム３４が伸びている（図８を参照いただきたい）。
【０００７】
図５から図８を参照いただきたい。前部フレーム１、中間フレーム２、後部フレーム３の組み立て順序は、まず、前部フレーム１の突起フレームバー１４と中間フレーム２のはめ込み耳２３をつき合わせ、突起フレームバー１４の上にある固定パーツ４の側面で突起フレームバー１４とはめ込み耳２３をはさんで固定する。これで前部フレーム１と中間フレーム２の組み立てが完成する。中間フレーム２と後部フレーム３の組み立ては、後部フレーム３の縁を中間フレーム２の固定耳２４に当て、中間フレーム２と後部フレーム３をねじ６で締めて固定する。これで、本考案の液晶モニターのアルミフレーム組み立て構造が完成する。
【０００８】
また、本考案の前部フレーム１、中間フレーム２、後部フレーム３が、相互に組み合わさることで構成されている。そこで、中間フレーム２一方の側面及び後部フレーム３の収納槽フレーム３４の一方の側面に、スロット口８をプレスして開けることが可能である。こうすることで、外付けの端子がここから挿入できる。
【０００９】
図９を参照いただきたい。本考案の実施例である。上述の説明からわかるように、液晶パネル８は前部フレーム１、中間フレーム２、後部フレーム３が相互に組み合わさって構成された、液晶モニターのアルミフレームの内部に固定されて、アルミフレームが液晶パネル８の電磁波を効果的に隔離することで、低輻射の液晶モニター製品を提供することができる。さらに、全体の重量は軽く、環境保護の観念にも合致している。また、前部フレーム１、中間フレーム２の接続箇所が、固定パーツ４で固定する方式で組み立てているので、前部フレームを溶接することによる欠点が発生しない。そして、前部フレーム１の表面はすっきりして、見た目も美しいので、販売市場での競争でも有利である。
【００１０】
【考案の効果】
本考案の液晶モニターのアルミフレーム組み立て構造は、そのフレームがアルミプレス成型によって作られている。全体の重量が軽＜、環境保護の観念にも適合するという特長を持つ。さらに、フレームが、液晶パネルの電磁波を効果的に隔離する壁となるため、放出される輻射線が極めて低いという特徴を持つ。
また、本考案の液晶モニターのアルミフレーム組み立て構造は、前部フレームと中間フレームの接続部分を固定ユニットで固定している。したがって、従来のように溶接接続による欠点がなく、美観を損ねることもない。このように、本考案の液晶液晶パネルは組み立てが簡単であるだけでなく、前部フレームがプレーンで美しい仕上がりになっているため、販売市場で優位に立てる要素を持つ。
【図面の簡単な説明】
【図１】本考案の液晶モニターのアルミフレーム組み立て構造の外観図である。
【図２】本考案の液晶モニターのアルミフレーム組み立て構造の関連パーツの見取り図である。
【図３】本考案の前部フレームの関連パーツの見取り図である。
【図４】本考案の前部フレームの短形フレームパネルを組み立てて固定した状態を示した図である。
【図５】本考案の前部フレーム、中間フレーム及び後部フレームの関連パーツの断面図である。
【図６】本考案の前部フレーム、中間フレーム及び後部フレームを組み立てた後の断面図である。
【図７】本考案の前部フレーム及び中間フレームを組み立てた後の立体外観図ある。
【図８】本考案の前部フレーム、中間フレーム及び後部フレームを組み立てた後の立体外観図である。
【図９】本考案の液晶モニターのアルミフレーム組み立て構造の実施例図である。
【符号の説明】
１　前部フレーム　　　　　　　　　　３　後部フレーム
１１　長形フレームパネル　　　　　　３１　長形フレームパネル
１２　短形フレームパネル　　　　　　３２　短形フレームパネル
１３　凹面部　　　　　　　　　　　　３３　はめ込み固定パネル槽
１４　突起フレームバー　　　　　　　３４　収納槽フレーム
２　中間フレーム　　　　　　　　　　４　固定パーツ
２１　長形フレームパネル　　　　　　５　固定取り付け板
２２　短形フレームパネル　　　　　　６　ねじ
２３　はめ込み耳　　　　　　　　　　７　スロット口
２４　固定耳　　　　　　　　　　　　８　液晶パネル
【図１】
0003098610.tif 000003
【図２】
0003098610.tif 000004
【図３】
0003098610.tif 000005
【図４】
0003098610.tif 000006
【図５】
0003098610.tif 000007
【図６】
0003098610.tif 000008
【図７】
0003098610.tif 000009
【図８】
0003098610.tif 000010
【図９】
0003098610.tif 000011